(57)【要約】【課題】従来、特許情報の解析者の知識や経験などにより解析情報が主観的になり、独断や偏見、誤りなどを含みやすい。また、特許情報の重要性を客観的に相対評価することもできない。【解決手段】特許情報を特定するための番号情報と、特許情報を少なくとも一の解析観点について解析して付与する四則演算が可能な解析情報と、一の特許情報に対して少なくとも二以上の前記解析情報を四則演算して得る数値演算可能情報と、番号情報と、解析情報、または、数値演算可能情報とを特許情報表示票に示す。【選択図】図１
2004110752.tif 000002
【特許請求の範囲】
【請求項１】
特許情報を特定するための番号情報と、
特許情報を少なくとも一の解析観点について解析して付与する四則演算が可能な解析情報と、
一の特許情報に対して少なくとも二以上の前記解析情報を四則演算して得る数値演算可能情報と、
番号情報と、前記二以上の解析情報、または、前記数値演算可能情報とを示したことを特徴にする特許情報表示票。
【発明の詳細な説明】
【０００１】
【発明の属する技術分野】
本発明は特許公報、特許公開公報、あるいは、海外の各種の特許公報などの特許情報をカードや紙、本やノートのページ、枚葉シート、コンピュータの表示画面などに示す特許情報表示票に関し、特に、特許情報の解析結果を見やすく示す改良に係わる。
【０００２】
【従来の技術】
特許公報や特許公開公報、実用新案公報などの各種の特許情報には、書誌的事項のほか、発明や考案に係わる従来技術や、解決しようとする課題、実施態様、発明や考案の効果などが記載されている。
【０００３】
これらの記載内容には、発明や考案に係る権利情報や技術情報、市場情報などが含まれており、特許情報をこれらの別異な観点で解析すると、情報価値が格段に高まる。そして、特許情報を活用することによって、強い企業戦略を構築することができる。
【０００４】
そこで、特許情報を特定するための公報番号や書誌的事項のほかに、特許情報の権利としての重要度や技術としての重要度、マーケットに対する影響度など、いわゆる特許情報の価値評価の結果を解析情報として特許情報表示票にあわせ示しておくと、特許情報の利用価値が一段と高まる。
【０００５】
【発明が解決しようとする課題】
従来の特許情報表示票では、権利としての重要性や、技術としての重要性、あるいは、その特許情報が影響を与えるマーケットの大きさなどのようなさまざまな解析観点について、解析者が解析した結果が解析情報として示されている。しかしながら、解析者が一人の場合、権利としての重要性や、技術としての重要性、あるいは、マーケットの大きさなどの異なる解析観点に対して一人の解析者が解析を行って解析情報を付与する。これは、大量な特許情報を群に分けて適当量の特許情報を複数の解析者に分担する場合も同じである。つまり、一つの特許情報に対しては一人の解析者しか解析することがない。
【０００６】
これに対して、権利の専門家が権利の観点から解析情報を付与し、技術の専門家が技術の観点から解析情報を付与し、マーケットの専門家がマーケットの観点から解析情報を付与することもある。このように、解析観点を複数の解析者の専門性に応じて分担し、それぞれの解析者が割り当てられた別個な解析観点から解析を行ない、その解析結果を並記することもあった。
【０００７】
要するに、解析情報が特許情報表示票に表示されるのであるが、各特許情報に対する解析情報は、一の解析観点に対して一の解析者が付与する。その結果、それぞれの特許情報には、一の解析者が解析観点に対して解析した結果だけが付与され、その解析情報が特許情報表示票に表示されていた。
そのために、従来の解析情報には、特許情報を解析する解析者の知識や経験などが反映されるので、解析情報が主観的になってしまい、時として、解析者の独断や偏見が加わり、あるいは、誤りなどが生じることになる。
【０００８】
また、解析情報に基づいて複数の特許情報を相対比較しようとする場合には、それぞれの解析情報が主観的なので、相互の特許情報の重要性を客観的に相対評価することができないという問題があった。
【０００９】
本発明は、種々の解析観点について特許情報を解析して付与される解析情報には、一旦は、主観的な解析情報が含まれるにしても、特許情報表示票には、客観的な解析情報が表わされるようにする。これにより、解析情報に解析者の過度な独断や偏見、あるいは、誤りが含まれる危険を極力減らし、さらには、客観的で四則演算が可能な数量的な解析情報、または、該解析情報を基にして求めた新たな情報によって、相互の特許情報を数量的に相対評価することができることを目的とする。
【００１０】
【課題を解決すための手段】
本発明の特許情報表示票は、特許情報を特定するための番号情報と、特許情報を少なくとも一の解析観点について解析して付与する四則演算が可能な解析情報と、一の特許情報に対して少なくとも二以上の前記解析情報を四則演算して得る数値演算可能情報と、番号情報と、解析情報、または、数値演算可能情報とを特許情報表示票に示すようにしたことを特徴にする。
【００１１】
すなわち、本発明に係る特許情報解析のやり方について説明すれば、本発明の特許情報表示票を作成するにあたって、その特徴は、一の特許情報を複数の解析者が解析するとともに、一の解析者についてみれば、解析者は各自の経験などに基づいて、特許情報を複数の解析観点について解析することにある。さらに、特許情報の解析に際しては、解析観点について四則演算が可能な点数表記や「正」の文字、あるいは、花の記号や星のマークなどを使い、数字だけでなく、数の多寡を計量できるようにすることで解析情報を数値化して表し、それによって、解析情報に計量性や定量性を持たせることにも特徴がある。
【００１２】
【発明の実施の形態】
この発明の特許情報表示票では、特許データベースから抜き出された特許情報に複数の解析者によって解析情報が付与される。従来は、例えば権利の専門家が権利の観点から解析情報を付与し、技術の専門家が技術の観点から解析情報を付与し、マーケットの専門化がマーケットの観点から解析情報を付与する。このように、解析観点を複数の解析者の専門性に応じて分担し、それぞれの解析者が別個な解析観点から解析を行ない、その解析結果を総合して解析情報として特許情報に付与していた。
【００１３】
この発明の特許情報表示票では、解析観点を複数の解析者の専門性に応じて分担するのではなく、複数の解析者が権利の観点と技術の観点、マーケットの観点のそれぞれの解析観点に対して四則演算が可能な数字や星の数などを用いて解析結果を解析情報として付与し、一の特許情報に対して複数の解析者によって付与された少なくとも二以上の解析情報を四則演算し、その特許情報に対する数値演算可能情報とし、それぞれの特許情報に対応する番号情報と、数値演算可能情報とを特許情報表示票に示すものである。
【００１４】
これにより、特許情報に付与される解析情報には、一旦は主観的な解析情報が含まれるにしても、その後に、それぞれの特許情報に対して付与される複数の解析者による複数の解析情報が四則演算されて数値演算可能情報に変換され、この数値演算可能情報がそれぞれの特許情報に対応する解析情報として提供されるので、結果としては、特許情報表示票に客観的な解析情報が表わされるようになり、解析者の独断や偏見、あるいは誤りなどが入ることが少なくなり、客観的な解析情報を提供することがでる。しかも、これにより、特許情報の価値等を定量的に計量できるようになるので、異なる特許情報を比べて価値等を相対評価することができる。
【００１５】
【実施例】
以下、図面を参照して実施例を説明する。図１は、特許情報表示票１が、特許情報２を特定するための番号情報３と、特許情報を少なくとも一の解析観点４について解析して付与する四則演算が可能な解析情報５と、一の特許情報に対して少なくとも二以上の解析情報５を四則演算して得る数値演算可能情報６を有することを示す。
特許情報が特許データベースから検索され、解析者Ａ、Ｂ、Ｃにインターネットなどの通信回線を経由して提供される。解析者Ａ、Ｂ、Ｃは、それぞれの解析者が権利、技術、マーケットというように専門性を持ってはいるが、その専門性に応じて観点を分担して特許情報を解析するのではなく、解析者Ａ、Ｂ、Ｃが権利の観点と技術の観点、マーケットの観点のそれぞれの解析観点に対して四則演算が可能な点数や星の数などを用いて解析結果を解析情報として付与する。
【００１６】
なお、これらの解析者Ａ、Ｂ、Ｃに対しては、解析観点に関するそれぞれの解析者の得意分野や、不得手な解析観点などが事前に個人情報としてデータベースに登録しておくこともできる。
【００１７】
次に、こうして一の特許情報に対して解析者Ａ、Ｂ、Ｃが付与した解析情報がコンピュータで集計される。このとき、解析情報は四則演算が可能な点数や星の数によって表されているので、各解析観点に対してこれらの点数や星の数を合計することや、掛け算すること、あるいは、平均値を求めるなどの四則演算を行なうことによって、その特許情報に対する数値演算可能情報を得る。
【００１８】
なお、この四則演算には、解析者の得意な解析観点や不得手な解析観点に応じて重み付け係数を割り当てておき、その重み付け係数を四則演算に組み込むなどの方法も利用可能である。
【００１９】
いずれにしても、コンピュータが演算して得た数値演算可能情報は、それぞれの特許情報に対応する番号情報と共に特許情報表示票としてデータベースに蓄積され、あるいは、特許情報表示票としてプリントされ、あるいは、通信回線を通じて利用者のディスプレイ端末に表示される。なお、それぞれの数値演算可能情報には、解析者Ａ、Ｂ、Ｃが付与した元の解析情報を併記することもできる。
【００２０】
この発明によれば、それぞれの特許情報表示票には、それぞれの解析観点に対応して数量的に示された数値演算可能情報が表されるので、各分析者の主観的個性をある程度反映させながら評価結果には客観性を持たせることができ、その結果として複数の異なる特許情報間での相対比較が可能になる。
【００２１】
【発明の効果】
本発明の特許情報表示票によれば、特許情報を特定するための番号情報と、特許情報を少なくとも一の解析観点について解析して付与する四則演算が可能な解析情報と、一の特許情報に対して少なくとも二以上の前記解析情報を四則演算して得る数値演算可能情報とを示すので、特許情報表示票には客観的な解析情報が表示されるようになる。また、解析者の独断や偏見、あるいは誤りなどが少なくなる。さらに、客観的な解析情報を提供することがでる。これにより、特許情報を相対評価することもできるという効を奏する。
【００２２】
【図面の簡単な説明】
【図１】本発明の特許情報表示票を示した平面図である。
【符号の説明】
１・・・特許情報表示票
２・・・特許情報
３・・・番号情報
４・・・解析観点
５・・・解析情報
６・・・数値演算可能情報
【図１】
2004110752.tif 000003